(57)【特許請求の範囲】
【請求項１】
非接触状態にて情報の書き込み及び読み出しが可能なＩＣモジュールが搭載されたインレットシートが、軟性プラスチックで帯状に形成された２つの表面シートに挟まれ、前記表面シートが、互いに接続された場合に該表面シートによって環が形成されるような接続部材を有するＩＣリストバンドが取り付けられた送付体であって、
前記ＩＣリストバンドは、前記表面シートが挿入可能に構成された少なくとも２つの切り込みが形成された台紙に、前記表面シートが前記切り込みに挿入されることにより取り付けられており、
前記切り込みは、前記少なくとも２つの切り込みのうち、少なくとも１つの切り込みを一方の切り込み群とし、他の切り込みを他方の切り込み群とした場合、前記一方の切り込み群と前記他方の切り込み群とで互いに向かい合う部分が開口した半円状に形成されていることを特徴とする送付体。
【請求項２】
請求項１に記載の送付体であって、
前記切り込みは、前記送付体を送付するために前記台紙が折り曲げられた場合に、前記表面シートの前記ＩＣモジュールが内蔵された領域が該表面シートの他の領域に重なり合うように前記ＩＣリストバンドが前記台紙に取り付けられるような領域に形成されていることを特徴とする送付体。
【請求項３】
請求項１または請求項２に記載の送付体において、
前記台紙は、前記送付体を送付するために該台紙が折り曲げられた場合に、前記表面シートの前記ＩＣモジュールが内蔵された領域と対向する領域に導電性材料が塗布されていることを特徴とする送付体。
【発明の詳細な説明】
【０００１】
【発明の属する技術分野】
本発明は、非接触状態にて情報の書き込み及び読み出しが可能な非接触型ＩＣモジュールが内蔵されたＩＣリストバンドが取り付けられた送付体に関する。
【０００２】
【従来の技術】
従来、展示会、各種のショー、セミナー、特別なパーティー、周年イベント等の様々なイベントが行われているイベント会場において来場者を管理する場合、イベント会場の受付において、来場者の会社名、部署名、役職名、氏名等を所定の用紙に記入してもらい、記入してもらった事項を用いて、来場者が来場しているかどうか等を管理している。
【０００３】
また、近年においては、上述したような来場者管理をさらに効率的に行うために、来場予定者の氏名等の情報が書き込まれたＩＣカード等の情報記録媒体を来場予定者に予め送付しておき、来場予定者がこの情報記録媒体を持参してイベント会場に来場した際に、受付において、情報記録媒体に書き込まれた情報を読み出すことにより、来場予定者が来場しているかどうか等を管理する方法も行われている。
【０００４】
このような来場者管理に利用される情報記録媒体としては、ＩＣカードの他に、非接触状態にて情報の書き込み及び読み出しが可能なＩＣモジュールが内蔵されたリストバンドも利用されており、リストバンドにおいては、イベント等への来場者が腕に巻き付けて使用するため、スキー場等のように、情報記録媒体を手に持つことが来場者にとって不便となる場合に有効である。
【０００５】
【発明が解決しようとする課題】
しかしながら、上述したような、ＩＣモジュールが内蔵されたリストバンドにおいては、腕時計の形状を有して構成されており、ＩＣモジュールが内蔵された部分の厚さが厚く、かつ、一定の硬さを有しているため、実際に来場者が腕に巻き付ける等によって装着した場合に、煩わしさを感じてしまうという問題点がある。
【０００６】
また、リストバンドを来場予定者に予め送付する場合、送付体としての厚さが厚くなってしまい、定型郵便物として送付することができないという問題点がある。
【０００７】
本発明は、上述したような従来の技術が有する問題点に鑑みてなされたものであって、装着した場合に煩わしさを感じにくく、かつ、送付に適したＩＣリストバンドが取り付けられた送付体を提供することを目的とする。
【０００８】
【課題を解決するための手段】
上記目的を達成するために本発明は、
非接触状態にて情報の書き込み及び読み出しが可能なＩＣモジュールが搭載されたインレットシートが、軟性プラスチックで帯状に形成された２つの表面シートに挟まれ、前記表面シートが、互いに接続された場合に該表面シートによって環が形成されるような接続部材を有するＩＣリストバンドが取り付けられた送付体であって、
前記ＩＣリストバンドは、前記表面シートが挿入可能に構成された少なくとも２つの切り込みが形成された台紙に、前記表面シートが前記切り込みに挿入されることにより取り付けられており、
前記切り込みは、前記少なくとも２つの切り込みのうち、少なくとも１つの切り込みを一方の切り込み群とし、他の切り込みを他方の切り込み群とした場合、前記一方の切り込み群と前記他方の切り込み群とで互いに向かい合う部分が開口した半円状に形成されていることを特徴とする。
【００１１】
また、前記切り込みは、前記送付体を送付するために前記台紙が折り曲げられた場合に、前記表面シートの前記ＩＣモジュールが内蔵された領域が該表面シートの他の領域に重なり合うように前記ＩＣリストバンドが前記台紙に取り付けられるような領域に形成されていることを特徴とする。
【００１２】
また、前記台紙は、前記送付体を送付するために該台紙が折り曲げられた場合に、前記表面シートの前記ＩＣモジュールが内蔵された領域と対向する領域に導電性材料が塗布されていることを特徴とする。
【００１３】
（作用）
上記のように構成された本発明においては、非接触状態にて情報の書き込み及び読み出しが可能なＩＣモジュールが搭載されたインレットシートが、軟性プラスチックで帯状に形成された２つの表面シートに挟まれ、この帯状の表面シートによって環が形成されるように構成されているので、ＩＣリストバンド全面に渡って厚さが薄くなるとともに軟性を有するものとなり、それにより、装着した際の煩わしさを感じにくくなるとともに、このＩＣリストバンドを送付する場合においても、送付体としての厚さが薄くなり、送付にかかるコストが低減されることになる。
【００１４】
また、このＩＣリストバンドを送付する際に用いる台紙として、表面シートが挿入可能に構成された少なくとも２つの切り込みが形成され、その切り込みが、少なくとも２つの切り込みのうち、少なくとも１つの切り込みを一方の切り込み群とし、他の切り込みを他方の切り込み群とした場合、一方の切り込み群と他方の切り込み群とで互いに向かい合う部分が開口した半円状に形成されたものを用いた場合は、表面シートを切り込みに挿入することによりＩＣリストバンドを台紙に取り付けた後にＩＣリストバンドが台紙に対してずれることを抑制するために切り込みの径をＩＣリストバンドの幅に略等しくした場合であっても、ＩＣリストバンドを切り込みに挿入しやすくなる。
【００１５】
また、送付体を送付するために台紙が折り曲げられた場合に、表面シートのＩＣモジュールが内蔵された領域が表面シートの他の領域に重なり合うようにＩＣリストバンドが台紙に取り付けられるような領域に切り込みが形成されている場合は、送付体が送付される際にＩＣモジュールに外力が加わった場合、表面シートの他の領域によってＩＣモジュールが保護されることになる。
【００１６】
また、台紙について、送付体を送付するために台紙が折り曲げられた場合に、表面シートのＩＣモジュールが内蔵された領域と対向する領域に導電性材料を塗布しておけば、外部からの電波が遮断されることになり、この送付体が送付される過程において、ＩＣモジュールに書き込まれた情報が読み取られてしまったり、改竄されてしまったりする虞れがなくなる。
【００１７】
【発明の実施の形態】
以下に、本発明の実施の形態について図面を参照して説明する。
【００１８】
図１は、本発明のＩＣリストバンドの実施の一形態を示す図であり、（ａ）は表面図、（ｂ）は裏面図、（ｃ）は内部構造を示す図、（ｄ）は断面図である。
【００１９】
本形態は図１に示すように、外部からの情報の書き込み及び読み出しが可能なＩＣモジュール２２がベース基材２１上に搭載されるとともに、ＩＣモジュール２２に対して非接触状態にて情報の書き込み及び読み出しを行うためのアンテナ２３がＩＣモジュール２２と接続されてベース基材２１上に形成されてなるインレット２０が、塩化ビニール等の軟性プラスチックで帯状に形成された表面シート１１ａ，１１ｂの間の所定の領域に挟まれて構成されており、さらに、表面シート１１ａ，１１ｂにはそれぞれ、互いに接触した場合に解除自在に固着される面ファスナー１２ａ，１２ｂが設けられている。なお、表面シート１１ａ，１１ｂの形状においては、インレット２０が内蔵されている部分となるインレット内蔵部１３の形状がインレット２０の形状に合わせたものとなっており、その他の部分となる袖部１４ａ，１４ｂの形状は、インレット内蔵部１３よりも帯状の幅が狭いものとなっている。また、このように構成されたＩＣリストバンド１０においては、ＩＣモジュール２２が内蔵されている部分の厚さが最も厚い部分となるが、その部分の厚さは０．７ｍｍ以下である。
【００２０】
上記のように構成されたＩＣリストバンド１０を利用者が装着する場合は、利用者が、表面シート１１ａ，１１ｂの長手方向が腕の外周に沿うように腕に巻き付け、面ファスナー１２ａと面ファスナー１２ｂとを接触させることにより、ＩＣリストバンド１０を腕に装着する。
【００２１】
利用者の腕に装着されたＩＣリストバンド１０においては、利用者が、外部に設けられた情報書込／読出装置にＩＣリストバンド１０を近接させると、情報書込／読出装置からの電磁誘導によりアンテナ２３に電流が流れ、この電流がＩＣモジュール２２に供給され、それにより、非接触状態において、ＩＣモジュール２２に書き込まれた情報が情報書込／読出装置にて読み出される。そのため、ＩＣモジュール２２に、利用者の氏名や顧客ＩＤ等を予め書き込んでおけば、ＩＣモジュール２２に書き込まれた情報を読み出すだけで、ＩＣリストバンド１０を装着している利用者の氏名を認識することができ、また、その場合、顧客ＩＤと対応づけて利用者に関する情報を管理しておけば、ＩＣリストバンド１０から顧客ＩＤを読み出すことにより利用者に関する情報を認識することができる。
【００２２】
以下に、上述したＩＣリストバンド１０を送付する場合の送付体について２つの実施の形態を例に挙げて説明する。
【００２３】
（第１の実施の形態）
図２は、図１に示したＩＣリストバンド１０を送付する場合にＩＣリストバンド１０が取り付けられる台紙の第１の実施の形態を示す図である。
【００２４】
本形態における台紙は図２に示すように、３つの面によって三つ折りに折り畳まれるように構成されており、台紙を構成する３つの面のうち、折り畳まれた場合に表面となる面には、ＩＣリストバンド１０の送付先に関する情報となる宛先情報３１が印字されており、また、折り畳まれた場合に他の２つの面に挟まれる面には、宛先情報３１に対応した識別情報がバーコード情報３２として印字されているとともに、ＩＣリストバンド１０を台紙３０に取り付けるための切り込み３３ａ，３３ｂが形成されている。なお、この切り込み３３ａ，３３ｂにおいては、互いに向かい合う部分が開口した半円状に形成されており、さらに、切り込み３３ａ，３３ｂの端部はそれぞれ、接線方向に所定の長さだけ延びている。また、切り込み３３ａの端部と切り込み３３ｂの端部との間隔は、ＩＣリストバンド１０のインレット内蔵部１３の長さ以上であり、かつ、切り込み３３ａ，３３ｂの径は、ＩＣリストバンド１０の袖部１４ａ，１４ｂが入り込むのに十分な程度のものとなっている。
【００２５】
以下に、上記のように構成された台紙３０に図１に示したＩＣリストバンド１０が取り付けられて構成される送付体について説明する。
【００２６】
図３は、図１に示したＩＣリストバンド１０が図２に示した台紙３０に取り付けられて構成される送付体を示す図であり、（ａ）は表面から見た図、（ｂ）は裏面から見た図、（ｃ）はＩＣリストバンド１０が取り付けられた台紙３０が折り畳まれた状態を図３（ａ）中Ｘ方向から見た図である。
【００２７】
本形態においては、ＩＣリストバンド１０を台紙３０に取り付ける場合、まず、ＩＣリストバンド１０の袖部１４ａ，１４ｂを、台紙３０に形成された切り込み３３ａ，３３ｂからそれぞれ挿入し、袖部１４ａ，１４ｂを台紙３０の裏面側に配置する。
【００２８】
次に、ＩＣリストバンド１０の袖部１４ａ，１４ｂを、台紙３０の裏面側にて折り畳み、袖部１４ａ，１４ｂに設けられた面ファスナー１２ａ，１２ｂどうしを接触させ、それにより、ＩＣリストバンド１０を台紙３０に固定する。
【００２９】
ここで、本形態においては、切り込み３３ａ，３３ｂが、ＩＣリストバンド１０の袖部１４ａ，１４ｂが入り込むのに十分な程度の径を有する半円状となっているため、ＩＣリストバンド１０を台紙３０に取り付けた後にＩＣリストバンド１０が台紙３０に対してずれることを抑制するために切り込み３３ａ，３３ｂの径をＩＣリストバンド１０の袖部１４ａ，１４ｂの幅に略等しくした場合であっても、ＩＣリストバンド１０の袖部１４ａ，１４ｂを切り込み３３ａ，３３ｂに挿入しやすくなる。
【００３０】
その後、図３（ｂ）に示すように、台紙３０を三つ折りにし、この送付体を封筒に封入する。
【００３１】
（第２の実施の形態）
図４は、図１に示したＩＣリストバンド１０を送付する場合にＩＣリストバンド１０が取り付けられる台紙の第２の実施の形態を示す図である。
【００３２】
本形態における台紙は図４に示すように、３つの面によって三つ折りに折り畳まれるように構成されており、台紙を構成する３つの面のうち、折り畳まれた場合に表面となる面には、ＩＣリストバンド１０の送付先に関する情報となる宛先情報１３１が印字されているとともに、ＩＣリストバンド１０を台紙１３０に取り付けるための切り込み１３３ｃが形成されており、また、折り畳まれた場合に他の２つの面に挟まれる面には、宛先情報１３１に対応した識別情報がバーコード情報１３２として印字されているとともに、ＩＣリストバンド１０を台紙１３０に取り付けるための切り込み１３３ａ，１３３ｂが形成されており、また、他の面には、ＩＣリストバンド１０を台紙１３０に取り付けるための切り込み１３３ｄが形成されている。なお、この切り込み１３３ａ〜１３３ｄにおいては、切り込み１３３ａ，１３３ｃと切り込み１３３ｂ，１３３ｄとにおいて、互いに向かい合う部分が開口した半円状に形成されており、さらに、切り込み１３３ａ〜１３３ｄの端部はそれぞれ、接線方向に所定の長さだけ延びている。また、切り込み１３３ａの端部と切り込み１３３ｂの端部との間隔は、ＩＣリストバンド１０のインレット内蔵部１３の長さ以上であり、かつ、切り込み１３３ｃの端部と切り込み１３３ｄの端部との間隔は、ＩＣリストバンド１０の長さ以下であり、かつ、切り込み１３３ａ〜１３３ｄの径は、ＩＣリストバンド１０の袖部１４ａ，１４ｂが入り込むのに十分な程度のものとなっている。
【００３３】
以下に、上記のように構成された台紙１３０に図１に示したＩＣリストバンド１０が取り付けられて構成される送付体について説明する。
【００３４】
図５は、図１に示したＩＣリストバンド１０が図４に示した台紙１３０に取り付けられて構成される送付体を示す図であり、（ａ）は表面から見た図、（ｂ）はＩＣリストバンド１０が取り付けられた台紙１３０が折り畳まれた状態を図５（ａ）中Ｘ方向から見た図である。
【００３５】
本形態においては、ＩＣリストバンド１０を台紙１３０に取り付ける場合、まず、ＩＣリストバンド１０の袖部１４ａ，１４ｂを、台紙１３０に形成された切り込み１３３ａ，１３３ｂからそれぞれ挿入し、袖部１４ａ，１４ｂを台紙１３０の裏面側に配置する。
【００３６】
次に、切り込み１３３ａ，１３３ｂから台紙１３０に挿入された袖部１４ａ，１４ｂを、台紙１３０に形成された切り込み１３３ｃ，１３３ｄに挿入し、袖部１４ａ，１４ｂの先端を台紙１３０の表面側に配置し、それにより、ＩＣリストバンド１０を台紙１３０に固定する。
【００３７】
ここで、本形態においても、切り込み１３３ａ〜１３３ｂが、ＩＣリストバンド１０の袖部１４ａ，１４ｂが入り込むのに十分な程度の径を有する半円状となっているため、ＩＣリストバンド１０を台紙１３０に取り付けた後にＩＣリストバンド１０が台紙１３０に対してずれることを抑制するために切り込み１３３ａ〜１３３ｄの径をＩＣリストバンド１０の袖部１４ａ，１４ｂの幅に略等しくした場合であっても、ＩＣリストバンド１０の袖部１４ａ，１４ｂを切り込み１３３ａ〜１３３ｄに挿入しやすくなる。
【００３８】
その後、図５（ｂ）に示すように、台紙１３０を三つ折りにし、この送付体を封筒に封入する。ここで、本形態においては、台紙１３０を三つ折りにすると、ＩＣリストバンド１０に内蔵されたＩＣモジュール２２が、ＩＣリストバンド１０の袖部１４ａ，１４ｂに設けられた面ファスナー１２ａ，１２ｂによって挟まれるようになるため、送付体が郵送される際にＩＣモジュール２２に外力が加わった場合、面ファスナー１２ａ，１２ｂによってＩＣモジュール２２が保護されることになる。
【００３９】
なお、上述した実施の形態においては、ＩＣリストバンド１０の袖部１４ａ，１４ｂに面ファスナー１２ａ，１２ｂを設け、この面ファスナー１２ａ，１２ｂを用いてＩＣリストバンド１０を腕に装着するものを例に挙げて説明したが、面ファスナー１２ａ，１２ｂの代わりに、再剥離性接着剤を袖部１４ａ，１４ｂの少なくともいずれか一方に塗布しておき、この再剥離性接着剤によってＩＣリストバンド１０を腕に装着することも考えられる。
【００４０】
また、台紙を三つ折りにした際にインレット内蔵部と対向する領域に、導電性材料を塗布しておけば、外部からの電波を遮断することができ、この送付体が郵送される過程において、ＩＣモジュールに書き込まれた情報が読み取られてしまったり、改竄されてしまったりする虞れがなくなる。
【００４１】
【発明の効果】
以上説明したように本発明においては、非接触状態にて情報の書き込み及び読み出しが可能なＩＣモジュールが内蔵されたＩＣリストバンドにおいて、ＩＣモジュールが搭載されたインレットシートが、軟性プラスチックで帯状に形成された２つの表面シートに挟まれ、表面シートが、互いに接続された場合に該表面シートによって環が形成されるような接続部材を有し、この帯状の表面シートによって環が形成されるように構成されているため、ＩＣリストバンド全面に渡って厚さが薄くなるとともに軟性を有するものとなり、それにより、装着した際の煩わしさを感じにくくなるとともに、このＩＣリストバンドを送付する場合においても、送付体としての厚さを薄くすることができ、送付にかかるコストを低減することができる。
【００４２】
また、上述したようなＩＣリストバンドが取り付けられた送付体において、ＩＣリストバンドが、表面シートが挿入可能に構成された少なくとも２つの切り込みが形成された台紙に、表面シートが切り込みに挿入されることにより取り付けられており、また、切り込みが、少なくとも２つの切り込みのうち、少なくとも１つの切り込みを一方の切り込み群とし、他の切り込みを他方の切り込み群とした場合、一方の切り込み群と他方の切り込み群とで互いに向かい合う部分が開口した半円状に形成されているものにおいては、表面シートを切り込みに挿入することによりＩＣリストバンドを台紙に取り付けた後にＩＣリストバンドが台紙に対してずれることを抑制するために切り込みの径をＩＣリストバンドの幅に略等しくした場合であっても、ＩＣリストバンドを切り込みに挿入しやすくなる。
【００４３】
また、切り込みが、送付体を送付するために台紙が折り曲げられた場合に、表面シートのＩＣモジュールが内蔵された領域が表面シートの他の領域に重なり合うようにＩＣリストバンドが台紙に取り付けられるような領域に形成されているものにおいては、送付体が送付される際にＩＣモジュールに外力が加わった場合、表面シートの他の領域によってＩＣモジュールを保護することができる。
【００４４】
また、台紙について、送付体を送付するために該台紙が折り曲げられた場合に、表面シートのＩＣモジュールが内蔵された領域と対向する領域に導電性材料が塗布されているものにおいては、外部からの電波を遮断することができ、この送付体が送付される過程において、ＩＣモジュールに書き込まれた情報が読み取られてしまったり、改竄されてしまったりする虞れがなくなる。
【図面の簡単な説明】
【図１】本発明のＩＣリストバンドの実施の一形態を示す図であり、（ａ）は表面図、（ｂ）は裏面図、（ｃ）は内部構造を示す図、（ｄ）は断面図である。
【図２】図１に示したＩＣリストバンドを送付する場合にＩＣリストバンドが取り付けられる台紙の第１の実施の形態を示す図である。
【図３】図１に示したＩＣリストバンドが図２に示した台紙に取り付けられて構成される送付体を示す図であり、（ａ）は表面から見た図、（ｂ）は裏面から見た図、（ｃ）はＩＣリストバンドが取り付けられた台紙が折り畳まれた状態を図３（ａ）中Ｘ方向から見た図である。
【図４】図１に示したＩＣリストバンドを送付する場合にＩＣリストバンドが取り付けられる台紙の第２の実施の形態を示す図である。
【図５】図１に示したＩＣリストバンドが図４に示した台紙に取り付けられて構成される送付体を示す図であり、（ａ）は表面から見た図、（ｂ）はＩＣリストバンドが取り付けられた台紙が折り畳まれた状態を図５（ａ）中Ｘ方向から見た図である。
【符号の説明】
１０    ＩＣリストバンド
１１ａ，１１ｂ    表面シート
１２ａ，１２ｂ    面ファスナー
１３    インレット内蔵部
１４ａ，１４ｂ    袖部
２０    インレット
２１    ベース基材
２２    ＩＣモジュール
２３    アンテナ
３０，１３０    台紙
３１，１３１    宛先情報
３２，１３２    バーコード情報
３３ａ，３３ｂ，１３３ａ〜１３３ｄ    切り込み
【図１】
0003939184.tif 000002
【図２】
0003939184.tif 000003
【図３】
0003939184.tif 000004
【図４】
0003939184.tif 000005
【図５】
0003939184.tif 000006